(57)【要約】【課題】      着脱が容易で作業効率が高く、消灯後の発光輝度を向上させると共に、長期使用における表面の色褪せやキズ発生を軽減することができる着脱式照明器具用反射板を提供すること。【解決手段】  既存の照明器具の反射板に着脱自在に形成される照明器具用の射板であって、該反射板は、永久磁石を具備した反射板本体と、反射板本体の照明器具側の表面に設けられた、周囲の光を蓄え自然発光可能な蓄光剤による発光膜層と、発光膜層の表面に設けられた、単一あるいは多成分系の金属酸化物ガラス膜により形成されるガラス膜層とで構成する。【選択図】    図１
2005085746.tif 000002
【特許請求の範囲】
【請求項１】
既存の照明器具の反射板に着脱自在に装着される照明器具用の反射板であって、該反射板は、永久磁石を具備した反射板本体と、反射板本体の照明器具側の表面に設けられた、周囲の光を蓄え自然発光可能な蓄光剤による発光膜層と、発光膜層の表面に設けられた、単一あるいは多成分系の金属酸化物ガラス膜により形成されるガラス膜層とで構成されることを特徴とする着脱式照明器具用反射板。
【請求項２】
前記ガラス膜層は、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成したことを特徴とする請求項１記載の着脱式照明器具用反射板。
【請求項３】
前記反射板本体と発光膜層との間に白色ペイント層を介在させた請求項１記載の着脱式照明器具用反射板。
【発明の詳細な説明】
【技術分野】
【０００１】  木発明は、照明器具から照射される光を効率よく反射させると共に、暗闇でも長時間高輝度に発光することができる着脱式照明器具用反射板に関する。
【背景技術】
【０００２】  従来より、照明器具を消灯させた後においても、暗闇で自然発光し、さらに空気の清浄や消臭、また滅菌等の効果を発揮することができる照明器具の反射板がある（例えば、特許文献１参照。）。
【特許文献１】特開２００１−１４３５１０号公報
【発明の開示】
【発明が解決しようとする課題】
【０００３】  上掲特許文献１は本出願人により開発された技術であり、照明器具の反射板に蓄光剤を低温焼成し、さらにＰＴＡゾル（アモルファスチタン酸溶液）を低温焼成するもので、蓄光剤により照明器具の光を蓄光し、反射板が暗闇で高輝度に自然発光すると共に、ＴＡゾルの光触媒作用にて清浄や消臭効果を兼ね備えるものである。しかし、上述の掲特許文献１においては、既に設置している反射板の表面に蓄光剤やＰＴＡゾルを施すもので、ややコスト高になるという欠点があった。また長期間使用中においては、表面に色褪せやキズが発生するという問題が残った。
【課題を解決するための手段】
【０００４】  本発明は、既存の照明器具の反射板に着脱自在に形成される照明器具用の反射板であって、該反射板は、永久磁石を具備した反射板本体と、反射板本体の照明器具側の表面に設けられた、周囲の光を蓄え自然発光可能な蓄光剤による発光膜層と、発光膜層の表面に設けられた、単一あるいは多成分系の金属酸化物ガラス膜により形成されるガラス膜層とで上記課題を解決する。【０００５】  また前記ガラス膜層は、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成したことを特徴とする。【０００６】  また、前記反射板本体と発光膜層との間に白色ペイント層を介在させた。
【発明の効果】
【０００７】  反射板本体の外部表面に永久磁石を設けたことで、既存の照明器具の反射板に容易に着脱させることができる。また発光膜層により、消灯後においても反射板全体を暗闇で長時間高輝度に自然発光させることができる。さらに、ガラス膜層のコーティング特性により、長期使用における表面の色褪せやキズ発生を軽減させることも可能となる。【０００８】  また、前記反射板本体と発光膜層との間に白色ペイント層を介在させたことにより、発光膜層の光を一層効率よく外部に発光させることができる。
【発明を実施するための最良の形態・実施例】
【０００９】  以下、本発明の着脱式照明器具用反射板の実施の形態を図面に基づいて説明する。
図１および図２に示す着脱式照明器具用反射板１は、既存の照明器具の反射板部分に容易に着脱することができるもので、消灯後の発光輝度を向上させると共に、長期使用における表面の色褪せやキズ発生を軽減することを特性とする。
【００１０】  着脱式照明器具用反射板１は、永久磁石３を具備した反射板本体２と、反射板本体２の照明器具側の表面に設けられた、周囲の光を蓄え自然発光可能な蓄光剤による発光膜層１０と、発光膜層１０の表面に設けられた、単一あるいは多成分系の金属酸化物ガラス膜により形成されるガラス膜層１１とで構成されている。
【００１１】  反射板本体２は、アルミやスチール等の軽量の金属素材からなり、長尺で断面が略コ字形を呈している。また図示するように、前記反射板本体２の翼部４の外側部分には永久磁石３が具備されている。かかる永久磁石３は、図５に示すように、前記反射板本体２の翼部４を既存の照明器具２０の反射板２１に磁力により装着させるものである。
【００１２】  また、図３に示すように、反射板本体２の内側であって、照明器具２０側には、周囲の光を蓄え自然発光可能な蓄光剤による発光膜層１０が設けられている。かかる発光膜層１０は、周知の金属化合物や希土類を複数混合し汎用の展色剤を混合して形成するものである。この発光膜層１０の層幅は、日没後、周囲が暗くなても周囲の状況を確認するのに充分な光力を放つことが可能で、さらに夜が明けるまで光を放出し続ける充分な発光時間（約１０時間）を確保するために必要な厚み、１０ｃｍ四方に対し３ないし５ｇの蓄光剤を散布して形成される層幅を有している。
【００１３】  前記反射板本体２の内側表面に発光膜層１０を設けることにより、消灯後においても、それまで照射され照明器具２１からの光を蓄光し、反射板本体２の内側が暗闇の中で長時間高輝度に自然発光する。
【００１４】  ガラス膜層１１は、前記発光膜層１０の表面をコーティングするように設けられる、単一あるいは多成分系の金属酸化物ガラス膜からなっている。そして、この金属酸化物ガラスからなるガラス膜層１１の表面は、通常のガラス表面と同様に極めて滑らかである上に、鏡の表面のように光を反射するきらきらと輝く充分な光沢を有している。
【００１５】  また、このガラス膜層１１は光透過性にも優れており、ガラス膜層１１内を通過する光が有する光力をなんら減光することがない。また、ガラス膜層１１は耐候性も極めて優れており、長期間経過してもガラス自体が変色あるいは白濁することがなく、さらに塵埃や煤煙等が内部へと浸透せず、外観的な劣化を防ぐことができる。
【００１６】  また、前記ガラス膜層１１を形成する金属酸化物ガラスは、酸化チタンや酸化ケイ素と同様に光触媒効果があることが確認されている。周知のように光触媒効果は、光を受光した際に汚れ物質や臭い物質を分解除去することができるため、反射板本体２の内側表面に光触媒効作用を施すことにより、汚れの発生が抑えられると共に、表面に擦り傷が生じるのを軽減できる。
【００１７】  前記ガラス膜層１１を形成するには、予め、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成しておく。そして、この反応生成物を前記反射板本体２の表面に所定厚み分塗布し、２００度以下の温度でガラス化させることによりガラス膜を形成する。なお、この金属酸化物ガラスの形成方法は、特開平６−１９９５２８号公報（特許第２５３８５２７号）に記載された公知の技術である。
【００１８】  なお、前記ガラス膜層２は、適宜希釈して汎用のスプレーにて噴霧することにより、反射板本体２の全面や一部に容易に施すこともできる。
【００１９】  また他の好適例として、図４に示すように、前記反射板本体２と発光膜層１０との間に白色ペイント層１２を介在させることが好ましい。白色ペイント層１２を介在させることにより、発光膜層１０の光を効率よく外部に発光させることができる。
【図面の簡単な説明】
【図１】本発明の着脱式照明器具用反射板の斜視図である。
【図２】前記着脱式照明器具用反射板の内側を示す斜視図である。
【図３】反射板本体の拡大断面図である。
【図４】他の好適例を示す反射板本体の拡大断面図である。
【図５】反射板本体を既存の照明器具に装着した状態の使用例である。
【符号の説明】
１・・・着脱式照明器具用反射板
２・・・反射板本体
３・・・永久磁石
４・・・翼部
１０・・発光膜層
１１・・ガラス膜層
１２・・白色ペイント層
【図１】
2005085746.tif 000003
【図２】
2005085746.tif 000004
【図３】
2005085746.tif 000005
【図４】
2005085746.tif 000006
【図５】
2005085746.tif 000007